【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
熱エネルギーの作用により記録ヘッドからインクを吐出するインクジェット記録方法に用いられるインクにおいて、
前記インクが、下記一般式（１）で表される顔料、分散剤、水溶性有機化合物、及び前記顔料が分散破壊した後の凝集を抑制する凝集抑制物質を含有し、
前記凝集抑制物質のインク全質量を基準とした含有量（質量％）が、前記顔料のインク全質量を基準とした含有量（質量％）に対して、０．４倍以上１．３倍未満であり、
前記水溶性有機化合物の含有量（質量％）が、インク全質量を基準として、５．０質量％以上１６．５質量％以下であることを特徴とするインク。
一般式（１）
【化１】
2006225638.tif 000001
（一般式（１）中、Ｒ１、Ｒ２、Ｒ３、Ｒ４、Ｒ５及びＲ６はそれぞれ独立に、水素原子、炭素数１から３のアルキル基、炭素数１から３のフルオロアルキル基、炭素数１から３のアルコキシル基、ハロゲン原子、ニトロ基、スルホン酸基又はそのアルカリ土類金属塩、Ｎ−フェニルアミノスルホニル基、カルボキシル基又はそのアルカリ土類金属塩、カルボアミド基、Ｎ−フェニルカルバモイル基、ウレイレン基、イミノジカルボニル基又はカルボン酸エステル基である。）
【請求項２】
前記一般式（１）で表される顔料が、Ｃ．Ｉ．ピグメントイエロー７４である請求項１に記載のインク。
【請求項３】
前記凝集抑制物質が、ノニオン性界面活性剤、アニオン性界面活性剤、１，２−アルカンジオール、グリコールモノアルキルエーテルからなる群から選ばれる少なくとも１種である請求項１又は２に記載のインク。
【請求項４】
前記凝集抑制物質が、１，２−ペンタンジオール及び／又は１，２−ヘキサンジオールである請求項１〜３の何れか１項に記載のインク。
【請求項５】
前記水溶性有機化合物が、前記分散剤に対する貧溶媒となる水溶性有機化合物を少なくとも１種含む請求項１〜４の何れか１項に記載のインク。
【請求項６】
前記貧溶媒のインク全質量を基準とした含有量（質量％）が、前記一般式（１）で表される顔料のインク全質量を基準とした含有量（質量％）に対して、０．８倍以上である請求項５に記載のインク。
【請求項７】
前記貧溶媒の含有量（質量％）が、インク全質量を基準として、３．０質量％以上である請求項５又は６に記載のインク。
【請求項８】
前記貧溶媒が、１，５−ペンタンジオールである請求項５〜７の何れか１項に記載のインク。
【請求項９】
前記一般式（１）で表される顔料が、天然樹脂及び／又は天然樹脂誘導体によって表面処理されたものである請求項１〜８の何れか１項に記載のインク。
【請求項１０】
複数のインクを有するインクセットにおいて、
請求項１〜９の何れか１項に記載のインクと、前記インクと色相が異なる少なくとも１種のインクとを含むことを特徴とするインクセット。
【請求項１１】
インクをインクジェット記録方法で吐出する工程を有するインクジェット記録方法において、
前記インクが、請求項１〜９の何れか１項に記載のインクであることを特徴とするインクジェット記録方法。
【請求項１２】
インクを収容するインク収容部を備えたインクカートリッジにおいて、前記インクが、請求項１〜９の何れか１項に記載のインクであることを特徴とするインクカートリッジ。
【請求項１３】
インクを収容するインク収容部と、インクを吐出するための記録ヘッドとを備えたインクジェット記録装置において、前記インクが、請求項１〜９の何れか１項に記載のインクであることを特徴とするインクジェット記録装置。
【請求項１４】
熱エネルギーの作用により記録ヘッドからインクを吐出するインクジェット記録装置に用いるインクカートリッジに供給されるインクにおいて、
前記インクが、色材としてＣ．Ｉ．ピグメントイエロー７４を含有し、
更に、前記インクが、前記Ｃ．Ｉ．ピグメントイエロー７４が分散破壊した後の凝集を抑制する凝集抑制物質を含有し、
前記凝集抑制物質のインク全質量を基準とした含有量（質量％）が、前記Ｃ．Ｉ．ピグメントイエロー７４のインク全質量を基準とした含有量（質量％）に対して、０．４倍以上１．３倍未満であり、
前記水溶性有機化合物の含有量（質量％）が、インク全質量を基準として、５．０質量％以上１６．５質量％以下であることを特徴とするインク。
【請求項１５】
前記凝集抑制物質が、ノニオン性界面活性剤、アニオン性界面活性剤、１，２−アルカンジオール、グリコールモノアルキルエーテルからなる群から選ばれる少なくとも１種である請求項１４に記載のインク。
【請求項１６】
前記凝集抑制物質が、１，２−ペンタンジオール及び／又は１，２−ヘキサンジオールである請求項１４又は１５に記載のインク。
【請求項１７】
熱エネルギーの作用により記録ヘッドからインクを吐出するインクジェット記録方法に用いられるインクにおいて、
前記インクが、下記一般式（１）で表される顔料、分散剤、水溶性有機化合物、及び前記顔料が分散破壊した後の凝集を抑制する凝集抑制物質を含有し、
前記凝集抑制物質のインク全質量を基準とした含有量（質量％）が、前記顔料のインク全質量を基準とした含有量（質量％）に対して、０．４倍以上１．３倍未満であり、
前記水溶性有機化合物が、平均分子量１，０００のポリエチレングリコールを含むことを特徴とするインク。
一般式（１）
【化２】
2006225638.tif 000002
（一般式（１）中、Ｒ１、Ｒ２、Ｒ３、Ｒ４、Ｒ５及びＲ６はそれぞれ独立に、水素原子、炭素数１から３のアルキル基、炭素数１から３のフルオロアルキル基、炭素数１から３のアルコキシル基、ハロゲン原子、ニトロ基、スルホン酸基又はそのアルカリ土類金属塩、Ｎ−フェニルアミノスルホニル基、カルボキシル基又はそのアルカリ土類金属塩、カルボアミド基、Ｎ−フェニルカルバモイル基、ウレイレン基、イミノジカルボニル基又はカルボン酸エステル基である。）
【請求項１８】
前記分散剤のインク全質量を基準とした含有量（質量％）が、前記顔料のインク全質量を基準とした含有量（質量％）に対して、０．３倍以上２．０倍以下である請求項１７に記載のインク。
【請求項１９】
前記インクが更に水を含有し、前記水の含有量（質量％）が、インク全質量を基準として、７３．０質量％以上８０．０質量％以下である請求項１７又は１８に記載のインク。
【手続補正２】
【補正対象書類名】明細書
【補正対象項目名】００１４
【補正方法】変更
【補正の内容】
【００１４】
上記の目的は以下の本発明によって達成される。即ち、本発明にかかるインクは、熱エネルギーの作用により記録ヘッドからインクを吐出するインクジェット記録方法に用いられるインクにおいて、前記インクが、下記一般式（１）で表される顔料、分散剤、水溶性有機化合物、及び前記顔料が分散破壊した後の凝集を抑制する凝集抑制物質を含有し、前記凝集抑制物質のインク全質量を基準とした含有量（質量％）が、前記顔料のインク全質量を基準とした含有量（質量％）に対して、０．４倍以上１．３倍未満であり、前記水溶性有機化合物の含有量（質量％）が、インク全質量を基準として、５．０質量％以上１６．５質量％以下であることを特徴とする。
【手続補正３】
【補正対象書類名】明細書
【補正対象項目名】００１８
【補正方法】変更
【補正の内容】
【００１８】
又、本発明の別の実施態様にかかるインクは、熱エネルギーの作用により記録ヘッドからインクを吐出するインクジェット記録装置に用いるインクカートリッジに供給されるインクにおいて、前記インクが、色材としてＣ．Ｉ．ピグメントイエロー７４を含有し、更に、前記インクが、前記Ｃ．Ｉ．ピグメントイエロー７４が分散破壊した後の凝集を抑制する凝集抑制物質を含有し、前記凝集抑制物質のインク全質量を基準とした含有量（質量％）が、前記Ｃ．Ｉ．ピグメントイエロー７４のインク全質量を基準とした含有量（質量％）に対して、０．４倍以上１．３倍未満であり、前記水溶性有機化合物の含有量（質量％）が、インク全質量を基準として、５．０質量％以上１６．５質量％以下であることを特徴とする。
又、本発明の別の実施態様にかかるインクは、熱エネルギーの作用により記録ヘッドからインクを吐出するインクジェット記録方法に用いられるインクにおいて、前記インクが、下記一般式（１）で表される顔料、分散剤、水溶性有機化合物、及び前記顔料が分散破壊した後の凝集を抑制する凝集抑制物質を含有し、前記凝集抑制物質のインク全質量を基準とした含有量（質量％）が、前記顔料のインク全質量を基準とした含有量（質量％）に対して、０．４倍以上１．３倍未満であり、前記水溶性有機化合物が、平均分子量１，０００のポリエチレングリコールを含むことを特徴とする。
一般式（１）
【化２】
2006225638.tif 000003
（一般式（１）中、Ｒ１、Ｒ２、Ｒ３、Ｒ４、Ｒ５及びＲ６はそれぞれ独立に、水素原子、炭素数１から３のアルキル基、炭素数１から３のフルオロアルキル基、炭素数１から３のアルコキシル基、ハロゲン原子、ニトロ基、スルホン酸基又はそのアルカリ土類金属塩、Ｎ−フェニルアミノスルホニル基、カルボキシル基又はそのアルカリ土類金属塩、カルボアミド基、Ｎ−フェニルカルバモイル基、ウレイレン基、イミノジカルボニル基又はカルボン酸エステル基である。）